(57)【特許請求の範囲】
【請求項１】
一対の前脚と後脚と、これらの前脚と後脚の上端をそれぞれ連結すると共に相互に離間する着座部を前後方向に設けて着座部の間に手操作可能な空間部を形成し、この着座部の後部上方に延長した２本の支持杆の上端を連結するように背もたれ部を設け、前記着座部の前部の内方に上方に突出する一対の脚支持部を設ける共にその上部に利用者が姿勢を安定するために把持できる把持部を形成し、前記着座部と背もたれ部によって着座した利用者の身体をやや後方に傾斜した状態で支持し、前記脚支持部によって開脚状態を保持するように構成したことを特徴とする入浴介護用椅子。
【請求項２】
一対の前脚と後脚と、これらの前脚と後脚の間に支持される着座部を設けており、この着座部は前後方向の側部と、この側部の後部を連結する後部によりＵ形に形成されて中間部に手操作可能な空間部を有し、この着座部の後部上方に延長した２本の支持杆の上端を連結して背もたれ部を設け、前記着座部の前部の内方に上方に突出する一対の脚支持部を設ける共にその上部に利用者が姿勢を安定するために把持できる把持部を形成し、前記着座部と背もたれ部によって着座した利用者の身体をやや後方に傾斜した状態で支持し、前記脚支持部によって開脚状態を保持するように構成したことを特徴とする入浴介護用椅子。
【請求項３】
前記一対の脚支持部は逆Ｕ型に形成されていることを特徴とする請求項１又は２記載の入浴介護用椅子。
【発明の詳細な説明】
【０００１】
【発明の属する技術分野】
本発明は、入浴介護用椅子であって、詳しくは浴室内で要介護者の身体を洗う際に使用され、要介護者（利用者）が安定した状態で、安心して楽に座ることができると共に、介護人が要介護者の身体を効果的かつ効率的に洗うことができる椅子を提供するものである。
【０００２】
【従来の技術】
老齢化又は疾患等によって身体不自由になったり、または痴呆となった要介護者に対する介護サービスのニーズは近年拡大してきており、こうした介護サービス市場に参入する企業及び就業者も年々増加している。一方、経済的事情や家族的感情から外部への委託を避け従来からの家族による介護を選択する例も多い。
【０００３】
委託介護であれ家族による介護であれ身体介護は担当する介護人の負担は重く、特に排便や入浴の介護は大変である。
【０００４】
なかでも入浴の介護は、排便と異なり、その頻度やその手間のかけ具合は介護人に自由裁量の余地がありまた介護人の能力にもよるので、要介護者の満足のいく水準を常に維持するのがなかなか難しい。
【０００５】
入浴介護といっても、例えば、単に要介護者の身体を湯船に浸けたり、または単に温水シャワーを掛けたりするのに止まる介護水準もあり、更に身体の上下および表裏の隅々に至るまでシャンプーや石鹸を用いて垢落としを行い、その後で洗い流すという丁寧な望ましい介護水準もある。
【０００６】
【発明が解決しようとする課題】
しかしながら、要介護者の身体に十分な垢落としをするためには、湯船内においては、要介護者の身体を横向け、仰向け、うつ伏せ等何度も姿勢を換えさせたり、手足の上げ下ろしをさせたりする必要があり、介護人のみならず要介護者本人にとっても大変である。
【０００７】
湯船の外、即ち流しの床ないし簀の子の上で、これを行うにしても上記と同じ難点は完全には否定できないし、床ないし簀の子に直接座ったり、寝たりすることには要介護者の心理的な抵抗感があると考えられる。
【０００８】
また、市販の流し用腰掛けを使用し、これに要介護者を座らせることも考えられるが，これは要介護者の体がぐらつき易く、かつ滑り易いので、不安定で危険である。そして、特に内股から腰回りにかけての汚れ易い部分が洗いにくいという難点がある。
【０００９】
上記のような問題から、要介護者が安全に楽に座ることができると共に、介護人が要介護者の身体、特に手の届きにくい下半身を効率よく容易に洗うことができる手段を提供することが強く望まれているところである。
【００１０】
【課題を解決する手段】
上記の如き問題点を解決するための本発明に係る入浴介護用椅子は、一対の前脚と後脚と、これらの前脚と後脚の上端をそれぞれ連結すると共に相互に離間する着座部を前後方向に設けて着座部の間に手操作可能な空間部を形成し、この着座部の後部上方に延長した２本の支持杆の上端を連結するように背もたれ部を設け、前記着座部の前部の内方に上方に突出する一対の脚支持部を設ける共にその上部に利用者が姿勢を安定するために把持できる把持部を形成し、前記着座部と背もたれ部によって着座した利用者の身体をやや後方に傾斜した状態で支持し、前記脚支持部によって開脚状態を保持するように構成したことを特徴としている。
【００１１】
また、一対の前脚と後脚と、これらの前脚と後脚の間に支持される着座部を設けており、この着座部は前後方向の側部と、この側部の後部を連結する後部によりＵ形に形成されて中間部に手操作可能な空間部を有し、この着座部の後部上方に延長した２本の支持杆の上端を連結して背もたれ部を設け、前記着座部の前部の内方に上方に突出する一対の脚支持部を設ける共にその上部に利用者が姿勢を安定するために把持できる把持部を形成し、前記着座部と背もたれ部によって着座した利用者の身体をやや後方に傾斜した状態で支持し、前記脚支持部によって開脚状態を保持するように構成したことを特徴としている。
【００１２】
更に、前記一対の脚支持部は、逆Ｕ型に形成されていることを特徴としている。
【００１３】
【発明の実施の形態】
図１，２を参照して、本発明に係る入浴介護用椅子１の第１の実施の形態を説明する。
【００１４】
入浴介護用椅子１は、一対の前脚２，２と一対の後脚３，３を持ち、前脚２，２と後脚３，３の下端は前後連結杆４，４でそれぞれ連結されている。そして、後脚３，３の間は横連結杆５で、また前後連結杆４，４はその中程で横連結杆５Ａで連結されている。従って前後連結杆４，４と横連結杆５，５Ａとによって四角形の強固な基礎構造を形成している。
【００１５】
前後連結杆４，４の中間部から一対の支持杆６，６（後脚３を補強して第２の脚部を構成している部材）が上方に、かつ後方に傾斜して伸長しており、その支持杆６，６の上部同士を連結部材７（骨材）で連結し、更にこの連結部材７の前面にラグビーボール形の背もたれ部７Ａが取り付けられている。
【００１６】
また、支持杆６，６の中程を前記後脚３，３の上端と連結して支持杆６，６と後脚３，３と前後連結杆４，４とで三角形の強固な枠体を形成している。
【００１７】
前記前脚２，２の上端と支持杆６，６の中間部の間に支持部材８，８を設け、この支持部材８，８上面に着座部８Ａ，８Ａを取り付けている。なお、この実施の形態においては、支持部材８，８とこれで支持される着座部８Ａ，８Ａは略楕円形、瞳形ないしは菱形に形成されている。また、前記連結部材８，８と着座部８Ａ，８Ａは水平に形成されるが、やや前部が高く後部が低くなるように傾斜をつけてもよい。
【００１８】
図１及び図２の例においては着座部８Ａ，８Ａを二つに分離したものを示したが、安定感や違和感などからこの構造のものが好まれない場合は、二つの着座部の後部に尻を載せる部分を設けてコの字形又はＵ字形にして前部のみを開き、中間部分に手操作が出来る空間部を形成した便座形のものを採用できる。
【００１９】
更に、前記着座部８Ａ，８Ａの前部の内側寄りの部分の上面ないし側面に上方に突出して脚支持部９，９を設けている。この脚支持部９，９は、用介護者の脚の内側部分を支持して開脚状態をするものであるが、要介護者がつかまりやすいように略逆Ｕ字形に形成されている。
【００２０】
図３は上記脚支持部９，９の各種の形態を示すものであって、（Ａ）は右側の着座部８Ａに設けた脚支持部９を示しており、丸棒或いは丸パイプをＵ型に湾曲させて形成し、要介護者がその上部に掴まり易く、また脚部の内面を支持して両脚部をＶ形に強制的に開くように形成している。
【００２１】
図（Ｂ）に示す右側の着座部８Ａに設けた脚支持部９Ａは、板状部材の上端部を逆Ｕ形に湾曲させて要介護者が掴まり易くすると共に、脚部の内側を広く支持して長時間の開脚状態を保持し易くしたものである。
【００２２】
図（Ｃ）に示す右側の脚支持部９Ｂは、Ｔ形のステッキ状にして要介護者に違和感をなるべく与えないように配慮したものを示している。
【００２３】
また図（Ｄ）は、図（Ｃ）に示した脚支持部９Ｂの変形であって、両端を球状に膨出させた掴み部１３を形成している。
【００２４】
図（Ｅ）は着座部８Ａの正面図を示しており、脚支持部９ないし９Ｃの下端に断面がＵ字形の固定部材１４を設けて板状の着座部８Ａの縁部に嵌合させて固定するように形成したものである。
【００２５】
図４は着座部の正面図であって、左側の着座部８Ｈと右側の着座部８Ｍとの間に空間部１０を開け、そして両着座部８Ｍ、８Ｈを空間部１０側に向けて傾斜させることによって、身体を安定して支持させ、脚部の内側を脚支持部９に凭れかけるように形成したものである。
【００２６】
再び図１を参照して、椅子１の背もたれ部７Ａは、要介護者が適当に反り返って寄り掛かれるように着座部８Ａより後部の上方に配置するとともに、両着座部８Ａ，８Ａの間及びこの着座部８Ａ，８Ａと背もたれ部７Ａの間に広い空間部１０を形成している。この空間部１０は、要介護者を両脚をＶ字形に開いて着座部８Ａ，８Ａ上に安定して着座させて要介護者の下半身を洗浄するための介護の手の動きを妨げないように設けたものである。
【００２７】
前記の前脚２，２と後脚３，３と支持杆６，６と連結部材７と連結部材８，８及び脚支持部９，９等の構造材は、ステンレス・スチールパイプ、又はアルミニウム合金のパイプあるいは木材や合成樹脂を使用した成形体等を使用することができる。
【００２８】
また、背もたれ部７Ａと着座部８Ａ，８Ａは、プラスチック板上にウレタン・フォームを積層し、その表面をプラスチック・シートで覆って耐水性をもたせてながら要介護者の身体を柔らかく受け止めるようにしておくのが良い。なお、椅子１の底部には濡れた床でも滑らないように合成ゴム製の滑り止め１１を取り付ける。
【００２９】
図５と図６とは着座部８Ａ，８ＡをＶ形に開いたり、平方に近くなるように閉じたり出来る入浴介護用椅子１Ａの下部構造を示す正面図と平面図である。
【００３０】
基礎部１５は前部横枠１５Ａと後部横枠１５Ｂと、これらの部材を一体的に連結する連結部材１５Ｃで構成されている。そして前部横枠１５Ａは中空レール状に構成されており、前脚１６の下端に設けた滑り部材１６Ａを案内するようになっている。
【００３１】
更に、２本の前脚１６は、中間部が連結部１７で連結された連結部材１８によって連結されている。前記着座部８Ａ，８Ａの後部下方には後脚２０，２０が設けられ、その下端は連結部材１５Ｃ上を横滑りするか、この連結部材１５Ｃに開口した横穴にガイドされて僅かに横移動するようになっている。また、前記後脚２０の後方に延長部材２１が設けてあり、この延長部材２１の端部を軸２２で後部横枠１５Ｂ上に支持して着座部８Ａ，８Ａの後方の回動支点としている。
【００３２】
従って、連結部１７に設けてある作動片１９を図６に矢印Ｆで示すように押して前記連結部材１８をヘの字形に曲げると、前脚１６，１６を椅子１Ａの中央に移動させると同時に着座部８Ａ，８Ａは矢印Ｓのように移動してその前部の間隔を縮めることができる。
【００３３】
このように着座部８Ａ，８Ａが姿勢を変化させてその前部を接近させると、この着座部の上方に突出して設けてある脚支持部９，９の間隔が縮小することになり、要介護者が大きく股をＶ形に開かなくても着座することが出来るので、介護が容易になる。
【００３４】
また、要介護者によっては、最初から大きく股を開くことを嫌う人もいるので、このような場合には最初は両足を合わせたような状態で脚支持部９，９を両足の間に挟ませたような状態で椅子１Ａに座らせ、姿勢が安定し、安心感がでたことが分かった時に前記作動片１９を前方に引き出して連結部材１８を直線あるいはこれに近い状態にして両足の間の間隔を開けて介護することができる。
【００３５】
【発明の効果】
本発明に係る入浴介護用椅子は、着座部に腰を落とし、背もたれ部に凭れかかった状態で着座させて要介護者の身体の荷重を十分に受け止めることができ、しかも要介護者は着座部の前部の内側に設けた脚支持部で両足が合うように動くことが制限され、Ｖ字形の開脚状態で座った楽な姿勢を保持することができる。
【００３６】
従って介護人によってとかく不潔になりがちな下半身を含む全身を、ほぼ隈なく、効率的に垢取りし、洗ってもらうことができる。
【００３７】
更に、着座部の前部上面の内側に上方に突出して設けた脚支持部が着座した両脚の内側に当たって要介護者が椅子から滑り落ちることを防止して身体を安定させ安全であると共に、脚支持部の上部に利用者が姿勢を安定するために把持できる把持部を形成したので、着座したり立ち上がる際にこれに掴まることができ身体のバランスを安定させることができる。
【図面の簡単な説明】
【図１】本発明に係る入浴介護用椅子の斜視図である。
【図２】本発明に係る入浴介護用椅子の側面図である。
【図３】着座部に設けた脚支持部を各種の形状を示すもので、（Ａ）は逆Ｕ形の脚支持部を、（Ｂ）は板型の脚支持部を、（Ｃ）はステッキのＴ型形状をした脚支持部を、（Ｄ）は前記（Ｃ）の脚支持部の変形を示す図を、更に（Ｅ）は安定型の着座部と脚支持部の取付構造の正面図をそれぞれ示すものである。
【図４】２枚の着座部の固定状態を示す正面図である。
【図５】着座部を開閉できる椅子の要部を示す正面図である。
【図６】図５の椅子の要部の平面図である。
【符号の説明】
１，１Ａ  入浴介護用椅子      ２  前脚      ３  後脚    ４  前後連結杆
５，５Ａ  横連結杆      ６  支持杆      ７  第１支持連結部
７Ａ  背もたれ部      ８  第２支持連結部      ８Ａ  着座部
９  脚支持部    １０  空間部
１５  基礎部    １５Ａ  前部横枠    １５Ｂ  後部横枠
１５Ｃ  連結部材    １６  前脚    １６Ａ  滑り部材    １８  連結部材
１９  作動片    ２０  後脚
【図１】
0003560060.tif 000002
【図２】
0003560060.tif 000003
【図３】
0003560060.tif 000004
【図４】
0003560060.tif 000005
【図５】
0003560060.tif 000006
【図６】
0003560060.tif 000007